(57)【特許請求の範囲】
【請求項１】
天面にソーラーパネルを備えた自動販売機で、前記ソーラーパネルはパネル載置台に載置され、前記パネル載置台の前部に固定部を有し、前記固定部は自動販売機本体前面の外扉を開放した状態で自動販売機本体内部から固定する固定手段を備え、前記パネル載置台の後部に固定脚を有し、前記固定脚の後端に下方に延出した後方フランジ部を設け、前記後方フランジ部を自動販売機本体背面に固定し、前記固定脚は前記パネル載置台とは別体構造とし、自動販売機本体奥行寸法に応じて異なる固定脚構造とし、前記パネル載置台は天面に対して所定の傾斜角度を有して固定されることを特徴とする自動販売機。
【発明の詳細な説明】
【技術分野】
【０００１】
本発明は、太陽電池にて電力の一部を賄う自動販売機に関するものである。
【背景技術】
【０００２】
近年、自動販売機は、大型化、照明装置の増加、高機能化にともない消費電力量が増加する傾向であり、その電力量の一部を賄うために、屋根部に太陽電池パネルを備えた自動販売機が提案されている（例えば、特許文献１参照）。
【０００３】
以下、図面を参照しながら、上記従来の自動販売機について説明する。
【０００４】
図１０は、従来の太陽電池パネルを屋根部に備えた自動販売機の斜視図である。
【０００５】
図において、自動販売機１の屋根にモータによって回転駆動される太陽電池パネル３を備え、太陽電池パネル３に設けた受光センサ５によって太陽光の光量が所定以下の場合、モータを駆動する。そして、受光センサ５によって太陽光の光量が十分受けるようになるとモータを停止するようにモータを制御することで、太陽電池パネル３での発電効率を高めている。
【先行技術文献】
【特許文献】
【０００６】
【特許文献１】特開平５−８９３３０号公報
【発明の概要】
【発明が解決しようとする課題】
【０００７】
しかしながら、上記従来の自動販売機では、太陽電池パネル３を回転駆動するモータが必要となり、そのための電力も必要となる。さらに、モータ、あるいは受光センサ５とモータ駆動のための制御部品等も必要となり、コストも高くなるという課題を有していた。
【０００８】
本発明は上記従来の課題を解決するものであり、太陽電池パネルを備えた自動販売機において、太陽電池パネルの設置に関して、コストを抑え、簡素な構造で確実に設置できる自動販売機を提供することを目的とする。
【課題を解決するための手段】
【０００９】
上記従来の課題を解決するために、本発明の自動販売機は、天面にソーラーパネルを備え、前記ソーラーパネルはパネル載置台に載置され、前記パネル載置台の前部に固定部を有し、前記固定部は自動販売機本体前面の外扉を開放した状態で自動販売機本体内部から固定する固定手段を備え、前記パネル載置台の後部に固定脚を有し、前記固定脚の後端に下方に延出した後方フランジ部を設け、前記後方フランジ部を自動販売機本体背面に固定し、前記固定脚は前記パネル載置台とは別体構造とし、自動販売機本体奥行寸法に応じて異なる固定脚構造とし、前記パネル載置台は天面に対して所定の傾斜角度を有して固定されるのである。
【００１０】
これによって、コストを抑えながらソーラーパネルの設置を容易に行うことができるとともに、外部から容易にソーラーパネルを取り外すことを防止することができる。
【発明の効果】
【００１１】
本発明の自動販売機は、天面にソーラーパネルを備えたものにおいて、ソーラーパネルの設置を容易に行うことができるとともに、外部から容易にソーラーパネルを取り外すこ
とを防止することができるので、ソーラーパネルの設置容易性と防盗性を高めることができる。また、パネル載置台の後部に固定脚を有し、固定脚の後端に下方に延出した後方フランジ部を設け、後方フランジ部を自動販売機本体背面に固定するので、ソーラーパネルの設置確実性を高めることができる。また、固定脚はパネル載置台とは別体構造とし、自動販売機本体奥行寸法に応じて異なる固定脚構造としたので、ソーラーパネルおよびパネル載置台は共用しながら、奥行寸法の異なる自動販売機に対して、天面にソーラーパネルの設置が可能となり、ソーラーパネルおよびパネル載置台の汎用性を高めることができる。また、パネル載置台は天面に対して所定の傾斜角度を有して固定されるので、ソーラーパネルの駆動機構等を不要とした中で、ソーラーパネルの発電効率とソーラーパネルの視認性とを得ることができる。
【図面の簡単な説明】
【００１２】
【図１】本発明の実施の形態１における自動販売機の正面図
【図２】同実施の形態における自動販売機の側面図
【図３】同実施の形態における自動販売機の斜視図
【図４】同実施の形態における自動販売機の要部前方斜視図
【図５】同実施の形態における自動販売機の要部後方斜視図
【図６】同実施の形態における自動販売機の外扉を内側から見た斜視図
【図７】同実施の形態における自動販売機の要部正面図
【図８】同実施の形態における自動販売機の要部斜視図
【図９】同実施の形態における自動販売機のバッテリ収納装置の斜視図
【図１０】従来の自動販売機の斜視図
【発明を実施するための形態】
【００１３】
請求項１に記載の発明は、天面にソーラーパネルを備えた自動販売機で、前記ソーラーパネルはパネル載置台に載置され、前記パネル載置台の前部に固定部を有し、前記固定部は自動販売機本体前面の外扉を開放した状態で自動販売機本体内部から固定する固定手段を備えたものであり、ソーラーパネルの設置を容易に行うことができるとともに、外部から容易にソーラーパネルを取り外すことを防止することができるので、ソーラーパネルの設置容易性と防盗性を高めることができる。また、パネル載置台の後部に固定脚を有し、固定脚の後端に下方に延出した後方フランジ部を設け、後方フランジ部を自動販売機本体背面に固定するので、ソーラーパネルの設置確実性を高めることができる。また、固定脚はパネル載置台とは別体構造とし、自動販売機本体奥行寸法に応じて異なる固定脚構造としたので、ソーラーパネルおよびパネル載置台は共用しながら、奥行寸法の異なる自動販売機に対して、天面にソーラーパネルの設置が可能となり、ソーラーパネルおよびパネル載置台の汎用性を高めることができる。また、パネル載置台は天面に対して所定の傾斜角度を有して固定されるので、ソーラーパネルの駆動機構等を不要とした中で、ソーラーパネルの発電効率とソーラーパネルの視認性とを得ることができる。
【００２０】
以下、本発明の実施の形態について、図面を参照しながら説明する。なお、この実施の形態によってこの発明が限定されるものではない。
【００２１】
（実施の形態１）
図１は本発明の実施の形態１における自動販売機の正面図、図２は同実施の形態における自動販売機の側面図、図３は同実施の形態における自動販売機の斜視図、図４は同実施の形態における自動販売機の要部前方斜視図、図５は同実施の形態における自動販売機の要部後方斜視図、図６は同実施の形態における自動販売機の外扉を内側から見た斜視図、図７は同実施の形態における自動販売機の要部正面図、図８は同実施の形態における自動販売機の要部斜視図、図９は同実施の形態における自動販売機のバッテリ収納装置の斜視図である。
【００２２】
図１から図５において、自動販売機本体１０の前面を覆う外扉１１はヒンジ機構１２を介して回動自在に軸支されており、外扉１１の上部には、商品サンプル展示室１３を有し、内部に缶、ビン等の商品サンプル１４を備え、商品サンプル１４に対応してそれぞれ選択ボタン１５を設けている。
【００２３】
また、商品サンプル展示室１３内の商品サンプル１４を照らす照明手段２０は商品サンプル１４の上下にそれぞれ配置している。
【００２４】
また、商品サンプル展示室１３の下方には、商品の広告などを掲示する広告パネル室１６と貨幣を投入する金銭投入口１７および携帯端末などの非接触端末の電子マネーによる決済が可能な読書き手段１８と人の接近を検知する人感センサー２８とを備えている。また、金銭投入口１７や読書き手段１８の下部には、利用者が選択した商品をしゃがみ姿勢で取り出す商品取出口１９が備えられている。
【００２５】
また、自動販売機本体１０の天面には、多結晶シリコン素子を多数板状に成形したソーラーパネル２１を有し、ソーラーパネル２１はパネル載置台２２に固定され、パネル載置台２２はソーラーパネル２１が水平面に対して３０度から４０度の傾斜角度になるように設定される。
【００２６】
また、ソーラーパネル２１を載置するパネル載置台２２の前部には、パネル載置台２２を自動販売機本体１０に固定するための固定部２３を備え、固定部２３は左右２箇所で下方に向けてボルトをパネル載置台２２に溶接等で一体に形成されたものである。そして、固定部２３は自動販売機本体１０の前面の外扉１１を開放した状態で自動販売機本体内部からナット等で固定するものである。
【００２７】
また、パネル載置台２２の後部には固定脚２４を有し、固定脚２４の後端に下方に延出した後方フランジ部２５を設け、後方フランジ部２５を自動販売機本体１０の背面に固定する構造となっている。
【００２８】
また、固定脚２４は内部に開口部２６を有する矩形状とし、幅寸法はパネル載置台２２の幅寸法と略同一としている。さらに固定脚２４の両側部には側面フランジ２７を設けている。
【００２９】
また、固定脚２４はパネル載置台２２とは別体構造で着脱可能とし、自動販売機本体１０の奥行寸法に応じて、ソーラーパネル２１の設置角度を大きく変えずに後方フランジ部２５を自動販売機本体１０の背面に確実に固定できるように数種類の異なる固定脚構造を有している。
【００３０】
また、図６から図９において、外扉１１の内側上部には、断熱性を有する内扉３０をヒンジにて開閉可能とし、内扉３０の外面に商品サンプル展示室１３を形成している。
【００３１】
また、外扉１１の内側下部のヒンジ機構１２の近傍には、広告パネル室１６に対向して自動販売機本体１０を制御する制御基板等を収納する基板収納部３１を備え、基板収納部３１に併設して、ソーラーパネル２１で発電した電力を蓄電するバッテリー３２を収納するバッテリー収納装置３３を有している。すなわちバッテリー収納装置３３もヒンジ機構１２側に配置している。
【００３２】
また、ソーラーパネル２１とバッテリー３２とをつなぐ配線は自動販売機本体１０の背面と下部の機械室とを通すもので、着脱可能に配置している。
【００３３】
また、バッテリー３２に近接した基板収納部３１内にファン３４を配置し、基板収納部３１のバッテリー３２側にスリット３５を設けている。また、基板収納部３１を覆うカバー３６のファン３４に対向する部分にもスリット３７を設けている。
【００３４】
また、バッテリー収納装置３３の側面および前面には多数のスリット３８を設け、底面には軟質性の吸水部材３９を備えている。
【００３５】
以上のように構成された自動販売機について、以下その動作、作用を説明する。
【００３６】
自動販売機本体１０の天面に設置したソーラーパネル２１により、昼間は太陽光により発電され、発電された電気は配線を通してバッテリー３２に蓄電される。そして、夜間にバッテリー３２に蓄電された電気を商品サンプル展示室１３内の商品サンプル１４を照らす照明手段２０に利用することで、自動販売機本体１０の商用電源での消費電力量を低減することができる。
【００３７】
そして、ソーラーパネル２１を載置するパネル載置台２２の前部には、パネル載置台２２を自動販売機本体１０に固定するための固定部２３を備え、固定部２３は自動販売機本体１０の前面の外扉１１を開放した状態で自動販売機本体内部からナット等で固定する構造としているため、別体梱包したソーラーパネル２１のパネル載置台２２の設置を容易に行うことができるとともに、外部から容易にソーラーパネル２１を取り外すことを防止することができるので、ソーラーパネル２１の設置容易性と防盗性を高めることができる。
【００３８】
また、ソーラーパネル２１を載置するパネル載置台２２の前部の固定部２３は左右２箇所で下方に向けてボルトをパネル載置台２２に溶接等で一体に形成しているので、より確実にソーラーパネル２１の設置容易性と防盗性を高めることができる。
【００３９】
また、パネル載置台２２の後部には固定脚２４を有し、固定脚２４の後端に下方に延出した後方フランジ部２５を設け、後方フランジ部２５を自動販売機本体１０の背面に固定する構造としているので、前部の固定部２３と合わせてソーラーパネル２１の設置確実性を高めることができる。
【００４０】
また、固定脚２４はパネル載置台２２とは別体構造で着脱可能とし、自動販売機本体１０の奥行寸法に応じて、ソーラーパネル２１の設置角度を大きく変えずに後方フランジ部２５を自動販売機本体１０の背面に確実に固定できるように数種類の異なる固定脚構造を有しているので、ソーラーパネル２１およびパネル載置台２２は共用しながら、奥行寸法の異なる自動販売機に対して、天面にソーラーパネル２１の設置が可能となり、ソーラーパネル２１およびパネル載置台２２の汎用性を高めることができる。
【００４１】
また、固定脚２４は内部に開口部２６を有する矩形状とし、幅寸法はパネル載置台２２の幅寸法と略同一としているので、固定脚２４の強度を高めることができ、強風等の外力
による不具合を防止することができる。
【００４２】
さらに固定脚２４の両側部には側面フランジ２７を設けているので、さらに固定脚２４の強度を高めることができる。
【００４３】
また、ソーラーパネル２１はパネル載置台２２に固定され、パネル載置台２２はソーラーパネル２１が水平面に対して３０度から４０度の傾斜角度になるように設定されているので、ソーラーパネル２１の駆動機構等を不要とした中で、ソーラーパネル２１の発電効率とソーラーパネル２１の視認性とを得ることができる。すなわち、ソーラーパネル２１の日射量と傾斜角度の関係は、方位を南とした場合３０度で最大となり、それ以外の方位においても、水平に対する日射量の減少は３０度から４０度程度までは比較的小さいことからソーラーパネル２１の発電効率への影響も問題ないレベルである。さらに正面から見た場合、利用者からソーラーパネル２１の視認性が水平設置に比べ高まり、自動販売機の地球環境保護、省エネへの貢献度をアピールすることもできる。
【００４４】
なお、本実施の形態では、人の接近を検知する人感センサー２８を備えているので、人感センサー２８が人の接近を検知した場合のみ照明手段２０を全点灯とし、通常は点滅制御することで、照明に必要な消費電力量を低減できるとともに、たとえば、夜間の照明において、上記人感センサー２８での制御を行いながら、バッテリー３２で充電した電力を利用することでバッテリー３２の消費電力量の低減を図ることができ、ソーラーパネル２１での発電エネルギーを有効に利用することができる。
【００４５】
また、ソーラーパネル２１で発電した電力を蓄電するバッテリー３２を外扉１１の内側で自動販売機本体１０を制御する制御基板等を収納する基板収納部３１近傍に配置しているので、バッテリー３２と制御基板の接続も短く簡素にでき、また、バッテリー３２の交換等のメンテナンスも外扉１１の開閉で行えるので、コストを抑え、太陽電池での電力を有効に利用できる太陽電池パネルを備えた使い勝手のよい自動販売機を提供することができる。
【００４６】
また、バッテリー３２を外扉１１のヒンジ機構１２側に配置しているので、外扉１１の開閉によるヒンジ機構１２への負荷を低減することができるとともに、ヒンジ機構１２を介しての照明手段２０までの配線長さを低減することができる。
【００４７】
また、ソーラーパネル２１とバッテリー３２とをつなぐ配線は自動販売機本体１０の背面と下部の機械室とを通すもので、着脱可能に配置しているので、ソーラーパネル２１および配線の後付が可能となるとともに、配線も含めたメンテナンス性を高めることができる。
【００４８】
また、バッテリー３２に近接した基板収納部３１内にファン３４を配置し、基板収納部３１のバッテリー３２側にスリット３５を設けているので、バッテリー３２の排熱を確実に行うことができ、バッテリー３２の性能を高めることができる。具体的には、バッテリー３２の近傍空気を、スリット３５を介してファン３４で吸入し、カバー３６のスリット３７から吹き出すことで、カバー３６の外面をさらに覆うシート等で阻害されにくく効率的に循環させることができる。
【００４９】
また、ファン３４の動力源はソーラーパネル２１の発電電力を利用することで、さらに省エネを図ることができる。利用方法としては、ソーラーパネル２１の発電電力を直接利用してもよいし、蓄電されたバッテリー３２の電力を利用してもよい。
【００５０】
また、ファン３４の運転制御は、バッテリー３２の能力を引き出すためのもので、バッ
テリー３２の周囲温度が所定の温度範囲になるように温度センサーを介して制御されるものである。
【００５１】
また、バッテリー収納装置３３の底面には軟質性の吸水部材３９を備えているので、万が一バッテリー３２内の液が漏れたとしても、吸水部材３９がバッテリー液を吸水し、液漏れに対しての安全性を高めることができる。
【００５２】
なお、ソーラーパネル２１での発電状態を表示する表示装置を外扉１１の前面に設けても良い。表示装置は、たとえば、「待機中」と「発電中」のいずれかを示すものであれば、特に限定されるものではない。
【００５３】
また、自動販売機の冷却システムに可燃性冷媒、たとえばＨＣ冷媒を用いた場合の安全性を高めるために、バッテリー収納部は冷却システム機能部品を収納した機械室よりも上方に配置させている。さらに、商品取出口１９の上方に配置しているので、万が一冷媒が漏れたとしても、ＨＣ冷媒は空気よりも比重が大きいのでバッテリーが着火源となる可能性を低減できる。さらに、ファン３４でバッテリー近傍の空気を循環させることで、ＨＣ冷媒の濃度を低くすることができ、安全性を高めることができる。
【産業上の利用可能性】
【００５４】
以上のように、本発明にかかる自動販売機は、天面にソーラーパネルを備えたものにおいて、ソーラーパネルの設置を容易に行うことができるとともに、ソーラーパネルの設置容易性と防盗性を高めることができるので、ソーラーパネルを天面に備えたあらゆる自動販売機器の用途に適用できる。
【符号の説明】
【００５５】
１０  自動販売機本体
１１  外扉
１２  ヒンジ機構
２０  照明手段
２１  ソーラーパネル
２２  パネル載置台
２３  固定部
２４  固定脚
２５  後方フランジ部
２６  開口部
２７  側面フランジ
３２  バッテリー
３４  ファン
３９  吸水部材
【図１】
0005617283.tif 000002
【図２】
0005617283.tif 000003
【図３】
0005617283.tif 000004
【図４】
0005617283.tif 000005
【図５】
0005617283.tif 000006
【図６】
0005617283.tif 000007
【図７】
0005617283.tif 000008
【図８】
0005617283.tif 000009
【図９】
0005617283.tif 000010
【図１０】
0005617283.tif 000011